(57)【要約】プルタブ式飲料缶に装着されるキャップである。飲料缶（１）の上端部に固定される缶キャップ本体（２０）とプルタブ（６）に固定されるレバー（３０）とで構成される。缶キャップ本体（２０）とレバー（３０）は合成樹脂からなる互いに独立した部材である。缶キャップ本体（２０）は飲料缶（１）の上端部に全周に亘って密着した状態で強固に嵌合している。レバー（３０）は、その指掛け部（３２）に指を掛けることにより簡単に起こすことができる。レバー３０を起こすと、レバー３０と共にプルタブ６が起こされ、注出口５が開口される。その後、レバー３０をレバー収容部２５側に倒すと、レバー３０と共にプルタブ６が倒される。レバー３０はレバー収容部２５内に再収容される。レバー（３０）が缶キャップ本体（２０）から分離されているため、レバー（１）を起こす際にキャップ（１０）が飲料缶（１）から離脱することがない。【特許請求の範囲】
【請求項１】
プルタブとそのプルタブを引き起すことにより開口される注出口とを上蓋部に有する飲料缶の上端部に装着される飲料缶用キャップであって、
飲料缶の上端部に全周に亘って密着した状態となるように嵌合させて装着される缶キャップ本体と、
前記プルタブに装着されるレバーとを備え、
前記缶キャップ本体と前記レバーは互いに独立した部材であり、
前記缶キャップ本体は、
前記飲料缶の注出口から流出した飲料の出口となる飲み口部と、
前記レバーを収容するレバー収容部とを有し、
前記レバーは、
前記プルタブの先端部よりも前記飲料缶の半径方向外方に延出した指掛け部を有し且つ前記プルタブと一体となって上下に回動可能であることを特徴とする飲料缶用キャップ。
【請求項２】
前記レバーの前記指掛け部は、前記缶キャップ本体の上端外周縁より前記飲料缶の半径方向外方に突出していることを特徴とする請求項１記載の飲料缶用キャップ。
【請求項３】
前記レバーは、前記プルタブのリング部内に係合して前記プルタブからの離脱を防止する係止部を備えていることを特徴とする請求項１または２記載の飲料缶用キャップ。
【請求項４】
前記レバー収容部と前記レバーのうち一方には凹部が他方には当該凹部と係脱する凸部が形成されており、当該凹部と当該凸部とが互いに嵌合することにより、前記レバーが前記レバー収容部内に収容された状態に保持されることを特徴とする請求項１、２または３記載の飲料缶用キャップ。
【請求項５】
前記缶キャップ本体の前記レバー収容部周辺の上面と前記レバー収容部内に収容された状態における前記レバーの上面とが互いに略連続した面をなすように、前記レバーの形状および前記レバー収容部内における収容姿勢、ならびに前記缶キャップ本体の形状が選定されていることを特徴とする請求項４記載の飲料缶用キャップ。
【請求項６】
プルタブとそのプルタブを引き起すことにより開口される注出口とを上蓋部に有する飲料缶の上端部に、請求項１〜５のいずれかに記載の飲料缶用キャップを備えたことを特徴とする飲料容器。
【発明の詳細な説明】
【技術分野】  本発明は、プルタブとそのプルタブを引き起すことにより開口される注出口とをその上蓋部に有するプルタブ式飲料缶の上端部に装着される飲料缶用キャップおよびこれを備えた飲料容器に関し、より詳細には、飲料缶に直接口をつけることなく且つ飲料缶を容易に開けることができるようにした飲料缶用キャップおよびこれを備えた飲料容器に関する。
【背景技術】  一般に、プルタブ式飲料缶はその胴板の上端に上蓋が巻締め接合されている。この上蓋のほぼ中央部にはプルタブがリベットで固定されている。このプルタブを引き起すと、上蓋に形成されている切れ目予定線が破断されて、注出口が開口される。この注出口から内容液を注出することができる。
コンビニエンスストアや自動販売機などで販売されている缶入りドリンクは、缶に直接口を付けて注出口から流出する内容液を飲むことが多い。しかし、缶の上蓋の表面やその周辺に埃などが付着していることがある。このような場合、缶を洗浄しないまま直接口を付けて飲むと、付着している埃なども一緒に飲んでしまうことになり、不衛生である。
また、プルタブは、缶の上蓋にリベットで強固に固定されており、しかもその先端が飲料缶の上端周縁を縁取るようにして形成された筒状縁部（胴板と上蓋との巻締め結合部）の近傍まで延びていて掴み難くなっているため、素手では簡単に引き起こせない場合がある。このような場合、素手でプルタブを無理に引き起こそうとすると、指の爪が割れたり指先を傷めたりすることもある。
この種の問題を解決するための先行技術として、登録実用新案第３０２１８３４号公報には、飲料缶の注出口に連通する流出口とそこから流出した内容液をガイドするガイド壁を備えた飲み口部と、飲み口部にセルフヒンジ部を介して連結されたタブ引き上げレバー部とを備えた飲料缶用キャップが開示されている。しかし、この飲料缶用キャップは、プルタブを引き起す際にタブ引き上げレバー部を上下方向に回動させる必要上、飲料缶の上端部に対して飲み口部だけが密着して嵌合する構造になっており、飲み口部が缶上端の筒状縁部のほぼ半周部分に対してしか嵌合しないため、飲料缶に対する嵌合固定強度が不十分である。このため、飲料缶の注出口を開けようとしてタブ引き上げレバー部を引き起した際に、飲料缶用キャップが飲料缶から離脱してしまう可能性が高い。
本発明は、このような従来の飲料缶用キャップの欠点を解消するべく創案されたものであり、その目的は、プルタブ式飲料缶の上端部に装着することにより当該飲料缶のプルタブを簡単に引き起こして飲料缶を開けることができ且つ飲料缶に直接口をつけることなく内容液を飲むことができ、しかも飲料缶の上端部に嵌合させて安定に固定できる飲料缶用キャップを提供することにある。
また、本発明は、このような飲料缶用キャップを備えた飲料容器を提供することも目的とする。
【発明の開示】
本発明の飲料缶用キャップは、プルタブとそのプルタブを引き起すことにより開口される注出口とをその上蓋部に有する飲料缶すなわち、切り目予定線により一部を残してほぼ全周が縁取られた注出口を有する上蓋と、前記注出口にその一端（基端）を重ねるようにして前記上蓋の上面にリベットで固定されたプルタブとを備え、前記プルタブの他端（先端）側を引き起すことにより、前記リベットによる固定部を支点にして前記プルタブを上方に回動させて、その回動に伴って下降する前記一端により前記上蓋の前記注出口となる部分を下方に押圧することにより、前記切り目予定線を破断しつつその破断片を押し下げて前記注出口を開けることができるように構成されたプルタブ式飲料缶の上端部に装着される飲料缶用キャップであって、飲料缶の上端部に全周に亘って密着した状態となるように嵌合させて装着される缶キャップ本体と、前記プルタブに装着されるレバーとを備え、前記缶キャップ本体と前記レバーは互いに独立した部材であり、前記缶キャップ本体は、前記飲料缶の注出口から流出した飲料の出口となる飲み口部と、前記レバーを収容するレバー収容部とを有し、前記レバーは、前記プルタブの先端部よりも前記飲料缶の半径方向外方に延出した指掛け部を有し且つ前記プルタブと一体となって前記上蓋に対し上下に回動可能であることを特徴としている。
上記のように構成された飲料缶用キャップは、飲料缶の上端部に全周に亘って密着した状態となるように嵌合させて装着される缶キャップ本体を備えているため、飲料缶の上端部に嵌合させて安定に固定できる。しかも、プルタブに装着されるレバーが缶キャップ本体から独立した部材であるため、レバーを起こす動作に伴って、レバーから缶キャップ本体に対してそれを飲料缶から離脱させるような力が作用することがない。よって、飲料缶の注出口を開けようとしてレバーを起こした際に、飲料缶用キャップが飲料缶から離脱してしまうというという問題は生じない。
この飲料缶用キャップは、飲料缶の上端部に装着することにより当該飲料缶のプルタブを簡単に引き起して飲料缶を開けることができ且つ飲料缶に直接口をつけることなく内容液を飲むことができるようにすることができ、しかも飲料缶の上端部に嵌合させて安定に固定できる。
本発明の飲料缶用キャップにおいて、前記レバーの前記指掛け部は、前記缶キャップ本体の上端外周縁より前記飲料缶の半径方向外方に突出していることが望ましい。
また、前記レバーは、前記プルタブのリング部内に係合して前記プルタブからの離脱を防止する係止部を備えていることが望ましい。
また、前記レバー収容部と前記レバーのうち一方には凹部が他方には当該凹部と係脱する凸部が形成されており、当該凹部と当該凸部とが互いに嵌合することにより、前記レバーが前記レバー収容部内に収容された状態に保持されることが望ましい。
また、前記缶キャップ本体の前記レバー収容部周辺の上面と前記レバー収容部内に収容された状態における前記レバーの上面とが互いに略連続した面をなすように、前記レバーの形状および前記レバー収容部内における収容姿勢、ならびに前記缶キャップ本体の形状が選定されていることが望ましい。
本発明の飲料容器は、プルタブとそのプルタブを起すことにより開口される注出口とをその上蓋部に有する飲料缶の上端部に、本発明の飲料缶用キャップを備えたことを特徴とするものである。
この飲料容器は、レバーを起こすことによりそのプルタブを簡単に引き起して注出口を開けることができ且つ飲料缶に直接口をつけることなく内容液を飲むことができ、しかもレバーを起こした際に飲料缶用キャップが外れてしまうことがない。
【発明を実施するための最良の形態】  本発明について、図面を参照しつつより詳細に説明する。
図１は本発明にかかる飲料缶用キャップが装着される一般的なプルタブ式飲料缶の上部構造を示す斜視図である。図示するように、飲料缶１は、その胴板２の上端に上蓋３が巻締め接合されている。上蓋３は、切り目予定線４により一部を残してほぼ全周が縁取られた注出口５を有する。上蓋３のほぼ中央部には、注出口５となる部分３ａにその一端６ａを重ねるようにして、プルタブ６がリベット７で固定されている。このプルタブ６の他端（先端）６ｂ側を引き起すと、リベット７による固定部を支点にしてプルタブ６が上下方向に回動し、その回動に伴って前記一端６ａ側が下降する。その結果、当該一端６ａにより上蓋３の注出口５となる部分３ａが下方に押圧され、それによって切り目予定線４が破断されつつその破断片（部分３ａ）が押し下げられて、注出口５が開口される。その後プルタブ６は元の側に押し戻しても、破断片（部分３ａ）は上蓋３の下方すなわち飲料缶１内に残留するため、開口された注出口５から内容液を注出することができる。
図２は本発明にかかる飲料缶用キャップの一形態例を示す斜視図である。図３は図２に示す飲料缶用キャップの平面図である。図４は図２に示す飲料缶用キャップの底面図である。図５は図２に示す飲料缶用キャップの側面図である。図６は図２に示す飲料缶用キャップの正面図である。図７は図２に示す飲料缶用キャップの背面図である。図８は図２に示す飲料缶用キャップの断面図である。図９は図２に示す飲料缶用キャップを図１に示す飲料缶１に装着した状態を示す部分斜視図である。
飲料缶用キャップ１０は、飲料缶１の上端部に固定される缶キャップ本体２０とプルタブ６に固定されるレバー３０とで構成される。缶キャップ本体２０とレバー３０は、同じ合成樹脂からなる互いに独立した部材である。
飲料缶用キャップ１０は、図９に示すように、飲料缶１の上端部に被せるようにして装着される。このとき、缶キャップ本体２０の環状の側壁部２１は、飲料缶１の上端周縁を縁取るようにしてフランジ状に形成された巻締結合部（胴板２と上蓋３との巻締め結合部）８の外周部に全周に亘って密に接合するようになっている。また、側壁部２１の下端内面には、図３、図４および図８に示すように、飲料缶１の中心線に関して左右対象となる位置に一対の係止爪２１ａが突設されており、両係止爪２１ａが巻締結合部８の下面に係合するようになっている。
缶キャップ本体２０は、飲料缶１の注出口５から流出した内容液の出口となる飲み口部２２と、レバー３０を収容するレバー収容部２５とを有している。飲み口部２２およびレバー収容部２５は、缶キャップ本体２０の頂板部２６を貫通させて形成されている。
飲み口部２２には、飲料缶１の注出口５から流出した内容液を、飲む人の口に案内する下唇形状の飲料ガイド２７が形成されている。
レバー収容部２５の内面とこれに収容されたレバー３０との間には若干隙間が形成される。図３、図４および図１０に示すように、レバー収容部２５の左右両側の側壁部２１近傍には、一対の半球状の凸部２５ａが対向させて形成されている。一方、レバー３０の両側面には、レバー収容部２５の凸部２５ａと係脱する一対の凹部３０ａが形成されており、凸部２５ａと凹部３０ａが互いに係脱可能に嵌合することにより、レバー３０がレバー収容部２５内に収容された状態に保持されるようになっている。
レバー３０および缶キャップ本体２０は、缶キャップ本体２０のレバー収容部２５周辺の上面とレバー収容部２５内に収容された状態におけるレバー３０の上面とが互いに略連続した面をなすように、それぞれの形状および寸法が選定されている。この形態例では、図５および図８に示すように、缶キャップ本体２０のレバー収容部２５側の上面が、レバー３０の収容時における姿勢に合わせて傾斜している。また、図５、図７および図８に示すように、レバー収容部２５内に収容された状態におけるレバー３０と側壁部２１上面との間に隙間ができないように、側壁部２１の背面部の形状および寸法が選定されている。
レバー３０は、プルタブ６に先端６ｂ側から被せるようにして装着される。プルタブ６に装着されたレバー３０は、プルタブ６と一体となって上下に回動する。レバー３０はその内部に係止部３１を有し、その係止部３１をプルタブ６のリング部６ｃ内に係合する。この係止部３１は、レバー３０内へのプルタブ６の挿入を邪魔せず、プルタブ６からのレバー３０の離脱を阻止する形状になっている。
レバー３０の先端部分は、缶キャップ本体２０の上端外周縁よりも飲料缶１の半径方向外方に突出しており、この部分がレバー３０を収容状態から引き起こす際に指を掛けるための指掛け部３２として機能する。
レバー３０の上面には開口部３３が設けられており、この開口部３３を通してプルタブ６が見えるようになっている。
つぎに、この形態例の作用について説明する。
上記のように構成された飲料缶用キャップ１０は、図９に示すように、缶キャップ本体２０を飲料缶１の上端部に、レバー３０をプルタブ６に、各々装着することにより、飲料缶１に装着される。缶キャップ本体２０は、巻締結合部８の外周面全体に対する側壁部２１の圧接力と、巻締結合部８の下面に対する係止爪２１ａの係合とにより、飲料缶用キャップ１０の上端部に強固に固定される。レバー３０は、プルタブ６の外周面に対するレバー内面の圧接力と、プルタブ６のリング部６ｃに対する係止部３１の係合により、プルタブ６に一体的に固定される。
飲料缶用キャップ１０を飲料缶１に装着した後、飲料缶用キャップ１０およびその近傍の缶表面には、図示しない薄い透明のプラスチックキャップまたはフィルムが被着される。
ユーザは、飲料缶１の内容液を飲む際、まずこれらのプラスチックキャップまたはフィルムを飲料缶用キャップ１０から取り外す。その後、ユーザは、指掛け部３２に指を掛けてレバー３０を起こす。
レバー３０が起こされると、図１０に示すように、レバー３０と共にプルタブ６が起こされ、注出口５が開口される。その後、レバー３０をレバー収容部２５側に倒すと、レバー３０と共にプルタブ６が倒される。そして、レバー収容部２５内にレバー３０が再収容されると、図１１の状態になる。このとき、レバー収容部２５の凸部２５ａとレバー３０の凹部３０ａとが互いに嵌合することにより、レバー３０がレバー収容部２５内に収容された状態に保持される。
上記のようにして飲料缶１の注出口５を開口した後、飲料缶用キャップ１０の飲み口部２２の飲料ガイド２７に口を付けて、飲料缶１を傾けることにより、飲料缶１の注出口５から内容液を注出させ、その内容液を飲料缶用キャップ１０の飲み口部２２を通して飲むことができる。
飲料缶用キャップ１０の缶キャップ本体２０が飲料缶１の上端部に全周に亘って密着した状態となるように嵌合させて安定に固定されており、しかも、プルタブ６に装着されたレバー３０が缶キャップ本体２０から独立した部材であるため、レバー３０を起こす動作に伴ってレバー３０から缶キャップ本体２０に対してそれを飲料缶１から離脱させるような力が作用することがない。したがって、飲料缶１を開けようとしてレバー３０を起こした際に、飲料缶用キャップ１０が飲料缶１から離脱してしまうという問題は生じない。
また、レバー３０の指掛け部３２が缶キャップ本体２０の上端外周縁より飲料缶１の半径方向外方に突出しているので、飲料缶１を開ける際、指掛け部３２に指を掛けてレバー３０を容易に起こすことができる。
また、レバー３０は、プルタブ６の挿入を邪魔せず、プルタブ６からのレバー３０の離脱を阻止する係止部３１を有しているので、プルタブ６への装着は容易であるが、装着後は不用意に離脱しない。
また、レバー収容部２５の凸部２５ａとレバー３０の凹部３０ａとが互いに嵌合することにより、レバー３０がレバー収容部２５内に収容された状態に保持されるので、レバー３０のがたつきを防止するとともに、プルタブ６からのレバー３０の離脱をより効果的に防止できる。
また、この形態例の飲料缶用キャップ１０は、缶キャップ本体２０のレバー収容部２５周辺の上面とレバー収容部２５内に収容された状態におけるレバー３０の上面とが互いに略連続した面をなすように、レバー３０の形状およびレバー収容部２５内における収容姿勢、ならびに缶キャップ本体２０の形状が選定されているので、缶キャップ本体２０とレバー３０が互いに独立した部材であるにもかかわらず、一体感のある美的な形状を有する。
なお、上記の形態例では、レバー３０の上面に開口部３３が設けられ、その開口部３３を通してプルタブ６が露出しているが、図１２に示すように、レバー３０の上面を完全に閉塞した形態とすることも可能である。図１２の形態例はレバー３０の上面にロゴタイプなどを印刷するのに適している。
【産業上の利用可能性】  本発明にかかる飲料缶用キャップは、清涼飲料水や酒類を収容したプルタブ式飲料缶のキャップとして有用であり、さらに、固定物を含む内容液たとえば、コーンスープや野菜スープなどを収容したプルタブ式飲料缶のキャップとしても有用である。
また、本発明にかかる飲料容器は、清涼飲料水や酒類を収容する飲料容器として有用であり、さらに、固定物を含む内容液たとえば、コーンスープや野菜スープなどを収容する飲料容器としてとしても有用である。
【図面の簡単な説明】  図１は本発明にかかる飲料缶用キャップが装着される一般的なプルタブ式飲料缶の上部構造を示す斜視図である。
図２は本発明にかかる飲料缶用キャップの一形態例を示す斜視図である。
図３は図２に示す飲料缶用キャップの平面図である。
図４は図２に示す飲料缶用キャップの底面図である。
図５は図２に示す飲料缶用キャップの側面図である。
図６は図２に示す飲料缶用キャップの正面図である。
図７は図２に示す飲料缶用キャップの背面図である。
図８は図２に示す飲料缶用キャップの断面図である。
図９は図２に示す飲料缶用キャップを図１に示す飲料缶に装着した状態を示す斜視図である。
図１０は飲料缶に装着されている飲料缶用キャップのレバーを起こした状態を示す斜視図である。
図１１は飲料缶に装着されている飲料缶用キャップのレバーをレバー収容部に再収容した状態を示す斜視図である。
図１２は本発明にかかる飲料缶用キャップの別の形態例を示す斜視図である。
【図１】
2005087599.tif 000002
【図２】
2005087599.tif 000003
【図３】
2005087599.tif 000004
【図４】
2005087599.tif 000005
【図５】
2005087599.tif 000006
【図６】
2005087599.tif 000007
【図７】
2005087599.tif 000008
【図８】
2005087599.tif 000009
【図９】
2005087599.tif 000010
【図１０】
2005087599.tif 000011
【図１１】
2005087599.tif 000012
【図１２】
2005087599.tif 000013
【国際調査報告】
2005087599.tif 000014
2005087599.tif 000015